(57)【要約】【課題】建築物の外壁の出隅又は入隅が直角ではなく多少の狂いがあっても、壁面と役物のベース部との間に隙間が発生しないサイディング用役物を提供することである。【解決手段】本発明のサイディング用役物Ａは、建築物の壁面に取り付けられるベース部１と、このベース部１を覆うカバー部２と、このベース部１とカバー部２をつなぐ立ち上がり部３からなり、前記ベース部１は隣接する二つの壁面に沿ってそれぞれ設置される二枚の板５からなり、前記カバー部２は出隅又は入隅に対応する直角コーナー６を形成し、前記立ち上がり部３はベース部１とカバー部２の間にサイディングを挿入することができる空間７を確保する大きさを有していることを特徴とする。【選択図】図１
2007120050.tif 000002
【特許請求の範囲】
【請求項１】
建築物の外壁の出隅又は入隅に用いられるサイディング用役物であって、前記サイディング用役物は、建築物の壁面に取り付けられるベース部と、このベース部を覆うカバー部と、このベース部とカバー部をつなぐ立ち上がり部からなり、前記ベース部は隣接する二つの前記壁面に沿ってそれぞれ設置される二枚の板からなり、前記カバー部は出隅又は入隅に対応する直角コーナーを形成し、前記立ち上がり部はベース部とカバー部の間にサイディングを挿入することができる空間を確保する大きさを有していることを特徴とするサイディング用役物。
【請求項２】
ベース部の二枚の板の間に間隔を設けたことを特徴とする請求項１に記載のサイディング用役物。
【請求項３】
上記カバー部のベース部側の面に、その長手方向に沿って防水パッキンを設けたことを特徴とする請求項１又は請求項２に記載のサイディング用役物。
【発明の詳細な説明】
【技術分野】
【０００１】
本発明は、サイディング用役物に関する。さらに詳しくは、住宅等の建築物の既設外壁の上から或いは代わりに新たな外壁を形成するサイディングの施工に用いられるサイディング用役物に関するものである。
【背景技術】
【０００２】
従来、サイディングとして、金属サイディング、窯業系サイディング等が知られている。例えば、亜鉛めっき鋼板やステンレス板等の金属板の裏面にロックウール等の断熱材を装着した金属サイディングを施工する場合、突合せの平面目地部や、出隅部、入隅部の継ぎ目には役物が取り付けられている。この役物は、雨水の浸入防止や強度保持のため、あるいは意匠性の向上を目的として用いられ、上記役物の構造について種々の技術が提案されており、例えば下記の文献をあげることができる。
【特許文献１】特開２００５−１２６９８８号公報
【特許文献２】特開２００１−２１４５９７号公報
【特許文献３】特開２０００−２８２６７３号公報
【特許文献４】特開平１０−２６６５２１号公報
【発明の開示】
【発明が解決しようとする課題】
【０００３】
図７は、公知の出隅に用いられるサイディング用役物Ｃの平断面図である。図７や上記特許文献に示すように、従来のサイディング用役物Ｃは、通常、カバー材１７とベース材１８とからなる。そして、それぞれ、出隅に対応するカバー材直角コーナー２０とベース材直角コーナー２１が設けられている。
【０００４】
しかし、実際の施工において、下地となる住宅等の建築物の出隅又は入隅は必ずしも直角であるとは限らない。現実には、９０°（直角）を基準に１０°程度狂っている場合もしばしば見受けられる。その状態における問題を図８、図９を参照しながら説明する。
【０００５】
図８（ａ）は、建築物の直角の出隅１１に、公知のサイディング用役物Ｃを取り付けた状態を示す部分平断面図であり、図８（ｂ）は、建築物の鋭角（８０〜９０°）の出隅１１に公知のサイディング用役物Ｃを取り付けた状態を示す部分平断面図であり、図８（ｃ）は、建築物の鈍角（９０〜１００°）の出隅１１に公知のサイディング用役物Ｃを取り付けた状態を示す部分平断面図である。図８（ａ）のように出隅１１が直角であれば問題はないが、図８（ｂ），（ｃ）に示すように、鋭角又は鈍角の出隅１１にサイディング用役物Ｃのベース材１８を取り付けると、壁面１２とベース材１８との間に隙間１３が発生する。そして、壁面１２とベース材１８の間に隙間１３があると建築物の出隅１１の芯とサイディング用役物Ｃのカバー部直角コーナー２０とがずれて施工されるため、施工後のコーナー部分の見栄えが悪くなる。
【０００６】
図９は、建築物の鋭角（８０〜９０°）の出隅１１に公知のサイディング用役物Ｃのベース材１８を取付ビス２６で強制的に取り付けた状態を示す斜視図である。図９に示すように、壁面１２とベース材１８の間に隙間１３がある状態でベース材１８を壁面１２に取付ビス２６で強制的に締め付けると、ベース材１８が変形し波打ち部２７が形成されることとなる。
【０００７】
そこで本発明は、上記問題を解決して、建築物の外壁の出隅又は入隅が直角ではなく多少の狂いがあっても、壁面との間に隙間が発生しないサイディング用役物を提供することを課題とする。
【課題を解決するための手段】
【０００８】
上記課題を解決するため、請求項１の発明のサイディング用役物は、建築物の壁面に取り付けられるベース部と、このベース部を覆うカバー部と、このベース部とカバー部をつなぐ立ち上がり部からなり、前記ベース部は隣接する二つの壁面に沿ってそれぞれ設置される二枚の板からなり、前記カバー部は出隅又は入隅に対応する直角コーナーを形成し、前記立ち上がり部はベース部とカバー部の間にサイディングを挿入することができる空間を確保する大きさを有していることを特徴とする。これにより、出隅又は入隅が直角でなくとも、ベース部を構成する二枚の板の角度を変えて壁面に沿わせることができる。
【０００９】
請求項２の発明は、請求項１の発明において、ベース部を構成する二枚の板の間に間隔を設けたことを特徴としている。これにより、ベース部を構成する各板の自由度が増すため、出隅又は入隅が直角でなくとも、ベース部を構成する二枚の板の角度を変えて壁面に沿わせることができる。
【００１０】
請求項３の発明は、請求項１又は請求項２の発明において、カバー部のベース部側の面に、その長手方向に沿って防水パッキンを設けたことを特徴としている。これにより、カバー部とサイディングとの間の水密を保つことができ、雨水などの浸入を防ぎ、その結果、建築物を腐食やカビの発生などから保護することができる。
【発明の効果】
【００１１】
本発明では、ベース部を構成する二枚の板の角度を変えることができるため、建築物の出隅又は入隅が直角ではなく多少の狂いがあっても、役物のベース部を壁面に隙間なく取り付けることができる。このため、従来技術において発生していた、役物の施工時におけるベース部の波打ちや芯ずれを防止することができる。
【発明を実施するための最良の形態】
【００１２】
以下、鋭角の出隅、鈍角の出隅、鋭角の入隅、鈍角の入隅のそれぞれ場合における、本発明にかかるサイディング用役物の実施形態について、図面を参照して詳細に説明する。
【００１３】
図１は、出隅に適用される本発明にかかるサイディング用役物Ａの断面図である。図１に示すように、サイディング用役物Ａは、建築物の外壁の表面である壁面に取り付けられるベース部１と、このベース部１を覆うカバー部２と、このベース部１とカバー部２をつなぐ立ち上がり部３からなり、前記ベース部１は隣接する二つの壁面に沿ってそれぞれ設置される二枚の板５からなり、前記カバー部２は建築物の出隅又は入隅に対応する直角コーナー６を形成し、前記立ち上がり部３はベース部１とカバー部２の間にサイディングを挿入することができる空間７を確保する大きさを有している。そして、前記ベース部１を構成する二枚の板５の角度は略直角であり、両者の間には間隔８が設けられている。また、前記カバー部２のベース部１側の面には、その長手方向に沿って防水パッキン１０が設けられている。
【００１４】
図３（ａ）は、建築物の鋭角（８０〜９０°）の出隅１１に、図１に示すサイディング用役物Ａを取り付ける直前の状態を示す部分平断面図であり、図３（ｂ）は、建築物の鋭角（８０〜９０°）の出隅１１に、図１に示すサイディング用役物Ａを取り付けた状態を示す部分平断面図である。
【００１５】
図３（ａ）に示すように、建築物の鋭角（８０〜９０°）の出隅１１に、サイディング用役物Ａを取り付けようとすると、壁面１２とベース部１との間には隙間１３が生じる。しかし、ベース部１を構成する二枚の板５の間に間隔８を設けているので、サイディング用役物Ａは弾性を有する。このため、ベース部１の外側端部に外力１５を加えることにより、ベース部１を構成する二枚の板５の角度を変えて、壁面１２とベース部１との間の隙間１３をなくすことができる。このとき、芯ずれ２８（図８（ｂ））が起こらないように、カバー部２の直角コーナー６の位置を調整してサイディング用役物Ａを取り付けることもできる。なお、二枚の板５の間に、間隔８を設けなくても、各板５は互いに干渉されないので、サイディング用役物Ａは弾性を有しており、角度を変えて壁面１２に沿わせることができる。
【００１６】
図４（ａ）は、建築物の鈍角（９０〜１００°）の出隅１１に、図１に示すサイディング用役物Ａを取り付ける直前の状態を示す部分平断面図であり、図４（ｂ）は、建築物の鈍角（９０〜１００°）の出隅１１に、図１に示すサイディング用役物Ａを取り付けた状態を示す部分平断面図である。
【００１７】
図４（ａ）に示すように、建築物の鈍角（９０〜１００°）の出隅１１に、サイディング用役物Ａを取り付けようとすると、壁面１２とベース部１との間には隙間１３が生じる。しかし、ベース部１を構成する二枚の板５の間に間隔８を設けているので、サイディング用役物Ａは弾性を有する。このため、カバー部２に外力１５を加えることにより、ベース部１を構成する二枚の板５の角度を変えて、壁面１２とベース部１との間の隙間１３をなくすことができる。このとき、芯ずれ２８（図８（ｃ））が起こらないように、カバー部２の直角コーナー６の位置を調整してサイディング用役物Ａを取り付けることもできる。なお、二枚の板５の間に、間隔８を設けなくても、各板５か互いに干渉されないので、サイディング用役物Ａは弾性を有しており、角度を変えて壁面１２に沿わせることができる。
【００１８】
以上では、建築物の出隅にサイディング用役物Ａを設置する例を示したが、次に建築物の入隅にサイディング用役物を設置する場合について説明する。
【００１９】
図２は、入隅に適用される本発明にかかるサイディング用役物Ｂの断面図である。図２に示すように、サイディング用役物Ｂは、建築物の壁面に取り付けられるベース部１と、このベース部１を覆うカバー部２と、このベース部１とカバー部２をつなぐ立ち上がり部３からなり、前記ベース部１は隣接する二つの壁面に沿ってそれぞれ設置される二枚の板５からなり、前記カバー部２は出隅又は入隅に対応する直角コーナー６を形成し、前記立ち上がり部３はベース部１とカバー部２の間にサイディングを挿入することができる空間７を確保する大きさを有している。そして、前記ベース部１を構成する二枚の板５の角度は略直角であり、両者の間には間隔８が設けられている。また、前記カバー部１のベース部２側の面には、その長手方向に沿って防水パッキン１０が設けられている。
【００２０】
図５（ａ）は、建築物の鋭角（８０〜９０°）の入隅１６に、図２に示すサイディング用役物Ｂを取り付ける直前の状態を示す部分平断面図であり、図５（ｂ）は、建築物の鋭角（８０〜９０°）の入隅１６に、図２に示すサイディング用役物Ｂを取り付けた状態を示す部分平断面図である。
【００２１】
図５（ａ）に示すように、建築物の鋭角（８０〜９０°）の入隅１６に、サイディング用役物Ｂを取り付けようとすると、壁面１２とベース部１との間には隙間１３が生じる。しかし、ベース部１を構成する二枚の板５の間に間隔８を設けているので、サイディング用役物Ｂは弾性を有する。このため、ベース部１に外力１５を加えることにより、ベース部１を構成する二枚の板５の角度を変えて、壁面１２とベース部１との間の隙間１３をなくすことができる。このとき、芯ずれ２８が起こらないように、ベース部２の直角コーナー６の位置を調整してサイディング用役物Ｂを取り付けることもできる。なお、二枚の板５の間に、間隔８を設けなくても、各板５は互いに干渉されないので、サイディング用役物Ｂは弾性を有しており、角度を変えて壁面１２に沿わせることができる。
【００２２】
図６（ａ）は、建築物の鈍角（９０〜１００°）の入隅１６に、図２に示すサイディング用役物Ｂを取り付ける直前の状態を示す部分平断面図であり、図６（ｂ）は、建築物の鈍角（９０〜１００°）の入隅１６に、図２に示すサイディング用役物Ｂを取り付けた状態を示す部分平断面図である。
【００２３】
図６（ａ）に示すように、建築物の鈍角（９０〜１００°）の入隅１６に、サイディング用役物Ｂを取り付けようとすると、壁面１２とベース部１との間には隙間１３が生じる。しかし、ベース部１を構成する二枚の板５の間に間隔８を設けているので、サイディング用役物Ｂは弾性を有する。このため、ベース部１の外側端部に外力１５を加えることにより、ベース部１を構成する二枚の板５の角度を変えて、壁面１２とベース部１との間の隙間１３をなくすことができる。このとき、芯ずれ２８が起こらないように、ベース部２の直角コーナー６の位置を調整してサイディング用役物Ｂを取り付けることもできる。なお、二枚の板５の間に、間隔８を設けなくても、各板５は互いに干渉されないので、サイディング用役物Ｂは弾性を有しており、角度を変えて壁面１２に沿わせることができる。
【００２４】
そして、図３（ａ）乃至図６（ｂ）に示すように、カバー部２のベース部１側の面に、その長手方向に沿って、防水パッキン１０を設けると、カバー部２とサイディングとの間の水密を保つことができ、雨水などの浸入を防ぎ、その結果、建築物を腐食やカビの発生などから保護することができる。
【図面の簡単な説明】
【００２５】
【図１】出隅に適用される本発明にかかるサイディング用役物の断面図である。
【図２】入隅に適用される本発明にかかるサイディング用役物の断面図である。
【図３】（ａ）は、建築物の鋭角の出隅に、本発明にかかるサイディング用役物を取り付ける直前の状態を示す部分平断面図であり、（ｂ）は、建築物の鋭角の出隅に、本発明のサイディング用役物を取り付けた状態を示す部分平断面図である。
【図４】（ａ）は、建築物の鈍角の出隅に、本発明にかかるサイディング用役物を取り付ける直前の状態を示す部分平断面図であり、図４（ｂ）は、建築物の鈍角の出隅に、本発明のサイディング用役物を取り付けた状態を示す部分平断面図である。
【図５】（ａ）は、建築物の鋭角の入隅に、本発明にかかるサイディング用役物を取り付ける直前の状態を示す部分平断面図であり、（ｂ）は、建築物の鋭角の入隅に、本発明のサイディング用役物を取り付けた状態を示す部分平断面図である。
【図６】（ａ）は、建築物の鈍角の入隅に、本発明にかかるサイディング用役物を取り付ける直前の状態を示す部分平断面図であり、図６（ｂ）は、建築物の鈍角の入隅に、本発明のサイディング用役物を取り付けた状態を示す部分平断面図である。
【図７】公知の出隅に用いられるサイディング用役物の平断面図である。
【図８】（ａ）は、建築物の直角の出隅に、公知のサイディング用役物を取り付けた状態を示す部分平断面図であり、（ｂ）は、建築物の鋭角の出隅に公知のサイディング用役物を取り付けた状態を示す部分平断面図であり、（ｃ）は、建築物の鈍角の出隅に公知のサイディング用役物を取り付けた状態を示す部分平断面図である。
【図９】建築物の鋭角の出隅に公知のサイディング用役物のベース材を取付ビスで強制的に取り付けた状態を示す斜視図である。
【符号の説明】
【００２６】
１  ベース部
２  カバー部
３  立ち上がり部
５  板
６  直角コーナー
７  空間
８  間隔
１０  防水パッキン
１１  出隅
１２  壁面
１３  隙間
１５  外力
１６  入隅
１７  カバー材
１８  ベース材
２０  カバー材直角コーナー
２１  ベース材直角コーナー
２２  脚部
２３  係止片
２５  係合片
２６  取付ビス
２７  波打ち部
２８  芯ずれ
【図１】
2007120050.tif 000003
【図２】
2007120050.tif 000004
【図３】
2007120050.tif 000005
【図４】
2007120050.tif 000006
【図５】
2007120050.tif 000007
【図６】
2007120050.tif 000008
【図７】
2007120050.tif 000009
【図８】
2007120050.tif 000010
【図９】
2007120050.tif 000011